(57)【要約】【課題】音漏れが生じることなく、イヤホンのエージングを可能とすること。【解決手段】ＤＡＰ１は、ＣＰＵ２と、ＤＳＰ６と、を備える。ＤＳＰ６は、左チャンネル用と、右チャンネル用と、を有する音声信号をモノラル変換する。また、ＤＳＰ６は、モノラル変換した音声信号を逆相変換する。ＣＰＵ２は、ＤＳＰ６によってモノラル変換された音声信号を、左チャンネル用、又は、右チャンネル用の音声信号として出力する。また、ＣＰＵ２は、ＤＳＰ６によって逆相変換された音声信号を、左チャンネル用、又は、右チャンネル用の音声信号として出力する。【選択図】図２
2020184707.tif 000002
【特許請求の範囲】
【請求項１】
所定周波数の、左チャンネル用の音声信号と、前記左チャンネル用の音声信号と逆相の右チャンネル用の音声信号と、を出力する制御部を備えることを特徴とする音楽再生装置。
【請求項２】
左チャンネル用と、右チャンネル用と、を有する音声信号をモノラル変換し、
前記モノラル変換した音声信号を逆相変換する信号処理部と、
前記信号処理部によってモノラル変換された音声信号を、左チャンネル用、又は、右チャンネル用の音声信号として出力し、
前記信号処理部によって逆相変換された音声信号を、左チャンネル用、又は、右チャンネル用の音声信号として出力する制御部と、を備えることを特徴とする音楽再生装置。
【請求項３】
音声信号の選択を受け付けるための操作部をさらに備え、
前記制御部は、前記操作部により、音声信号の選択を受け付け、
前記信号処理部は、前記制御部によって選択が受け付けられた音声信号に、モノラル変換、逆相変換を行うことを特徴とする請求項２に記載の音楽再生装置。
【発明の詳細な説明】
【技術分野】
【０００１】
本発明は、音声信号を出力する音楽再生装置に関する。
【背景技術】
【０００２】
音楽再生装置によって再生された音声信号が出力されるスピーカーにおいては、自動車等でいう慣らし運転に相当するエージング（又はエイジング）と呼ばれる作業が行われる場合がある（例えば、特許文献１参照。）。エージングは、製品性能を引き出すために、経年劣化を故意に引き起こす作業であり、例えば、スピーカーに所定時間、音を出力し続けることによって行われる。
【０００３】
スピーカーのエージングでは、結線をプラスとマイナスとで逆にし、逆相になるようにして、左チャンネル用のスピーカーと、右チャンネル用のスピーカーと、を向い合せにすることで、音を打ち消し合う手法がある。この手法では、音が打ち消し合うため、周囲に音が漏れることが防止される。
【先行技術文献】
【特許文献】
【０００４】
【特許文献１】特開２０１３−１２０９６１号公報
【発明の概要】
【発明が解決しようとする課題】
【０００５】
しかしながら、イヤホンにおいて、エージング作業を行おうとする場合、イヤホンでは、結線を変えることができないため、上記と同様の手法をとることができない。このため、イヤホンのエージングにおいては、左チャンネル用のイヤホン本体と、右チャンネル用のイヤホン本体と、から同じ音（位相も同じ）が出力される（図３参照。）。エージングは、相応の音量で行われるため、音が漏れてうるさいという問題がある。また、左チャンネル用のイヤホン本体と、右チャンネル用のイヤホン本体と、から同じ音（位相も同じ）が出力されるため、左チャンネル用のイヤホン本体と、右チャンネル用のイヤホン本体と、を向い合せても、音が打ち消し合うことはなく、音漏れの問題が生じる（図４参照。）。なお、「イヤホン」という文言は、ヘッドバンドを有するオーバーヘッドホン等のヘッドホン、インナーイヤータイプのイヤホン等その他のイヤホンを含む。
【０００６】
本発明の目的は、音漏れが生じることなく、イヤホンのエージングを可能とすることである。
【課題を解決するための手段】
【０００７】
第１の発明の音楽再生装置は、所定周波数の、左チャンネル用の音声信号と、前記左チャンネル用の音声信号と逆相の右チャンネル用の音声信号と、を出力する制御部を備えることを特徴とする。
【０００８】
本発明では、制御部は、所定周波数の、左チャンネル用の音声信号と、左チャンネル用の音声信号と逆相の右チャンネル用の音声信号と、を出力する。これにより、音楽再生装置にイヤホンを接続し、左チャンネル用のイヤホン本体と、右チャンネル用のイヤホン本体と、を向かい合わせると、音が打ち消し合うため、音漏れを防止することができる。これにより、音漏れが生じることなく、イヤホンのエージングを行うことができる。
【０００９】
第２の発明の音楽再生装置は、左チャンネル用と、右チャンネル用と、を有する音声信号をモノラル変換し、前記モノラル変換した音声信号を逆相変換する信号処理部と、前記信号処理部によってモノラル変換された音声信号を、左チャンネル用、又は、右チャンネル用の音声信号として出力し、前記信号処理部によって逆相変換された音声信号を、左チャンネル用、又は、右チャンネル用の音声信号として出力する制御部と、を備えることを特徴とする。
【００１０】
本発明では、制御部は、モノラル変換された音声信号を、左チャンネル用、又は、右チャンネル用の音声信号として出力し、逆相変換された音声信号を、左チャンネル用、又は、右チャンネル用の音声信号として出力する。これにより、音楽再生装置にイヤホンを接続し、左チャンネル用のイヤホン本体と、右チャンネル用のイヤホン本体と、を向かい合わせると、音が打ち消し合うため、音漏れを防止することができる。これにより、音漏れが生じることなく、イヤホンのエージングを行うことができる。
【００１１】
また、信号処理部は、左チャンネル用と、右チャンネル用と、を有する音声信号をモノラル変換し、モノラル変換した音声信号を逆相変換する。すなわち、信号処理部は、左右チャンネルの音声信号から、モノラル音声信号と、その逆相の音声信号と、から構成されるエージング用の音声信号を生成する。これにより、任意の左右チャンネルの音声信号から、エージング用の音声信号を生成することができる。
【００１２】
第３の発明の音楽再生装置は、第２の発明の音楽再生装置において、音声信号の選択を受け付けるための操作部をさらに備え、前記制御部は、前記操作部により、音声信号の選択を受け付け、前記信号処理部は、前記制御部によって選択が受け付けられた音声信号に、モノラル変換、逆相変換を行うことを特徴とする。
【００１３】
本発明では、信号処理部は、制御部によって選択が受け付けられた音声信号に、モノラル変換、逆相変換を行う。これにより、ユーザー所望の左右チャンネルの音声信号から、エージング用の音声信号を生成することができる。
【発明の効果】
【００１４】
本発明によれば、音漏れが生じることなく、イヤホンのエージングを行うことができる。
【図面の簡単な説明】
【００１５】
【図１】本発明の第１実施形態に係るデジタルオーディオプレーヤーの構成を示すブロック図である。
【図２】エージングの概要を示す図である。
【図３】エージングの概要を示す図である。
【図４】エージングの概要を示す図である。
【発明を実施するための形態】
【００１６】
以下、本発明の実施形態について説明する。図１は、本発明の第１実施形態に係るデジタルオーディオプレーヤー１（以下、「ＤＡＰ」という。）の構成を示すブロック図である。ＤＡＰ１は、イヤホン１０１にアナログ音声信号出力する。イヤホン１０１は、アナログ音声信号に基づいて、音声を外部に出力する。
【００１７】
図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅回路８、無線モジュール９、ＵＳＢインターフェース（以下、「ＵＳＢ  Ｉ／Ｆ」という。）１０を備える。
【００１８】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００１９】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定、音声信号の選択などを行うことが可能である。
【００２０】
ＤＳＰ（Digital Signal Processor）６（信号処理部）は、デジタル音声信号に、イコライザー処理等の信号処理を行う。ＤＡＣ７は、デジタル音声信号をアナログ音声信号にＤ／Ａ変換する。増幅回路８は、ＤＡＣ７がＤ／Ａ変換したアナログ音声信号を増幅し、イヤホン１０１に出力する。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００２１】
記憶部３には、所定周波数の、左チャンネル用の音声信号と、左チャンネル用の音声信号と逆相の右チャンネル用の音声信号と、が記憶されている。ＣＰＵ２は、記憶部３に記憶されている、このエージング用の音声信号を読み出して、ＤＳＰ６に出力する。エージング用の音声信号は、ＤＳＰ６による信号処理、ＤＡＣ７によるＤ／Ａ変換、増幅回路８による増幅を経て、イヤホン１０１に出力される。従って、図２に示すように、左チャンネル用のイヤホン本体と、右チャンネル用のイヤホン本体と、を向かい合わせると、音が打ち消し合うため、音漏れを防止することができる。これにより、音漏れが生じることなく、イヤホン１０１のエージングを行うことができる。
【００２２】
また、記憶部３には、左チャンネル用と、右チャンネル用と、を有する音声信号とが記憶されている。ＣＰＵ２は、操作部５により、音声信号の選択を受け付ける。ＣＰＵ２は、操作部５により選択を受け付けた音声信号を記憶部３から読み出して、ＤＳＰ６に出力する。ＤＳＰ６は、ＣＰＵ２によって選択が受け付けられた（記憶部３から読み出された）、左チャンネル用と、右チャンネル用と、を有する音声信号をモノラル変換する。また、ＤＳＰ６は、モノラル変換した音声信号を逆相変換する。ＣＰＵ２は、ＤＳＰ６によってモノラル変換された音声信号を、左チャンネル用、又は、右チャンネル用の音声信号として、ＤＡＣ７に出力する。また、ＣＰＵ２は、ＤＳＰ６によって逆相変換された音声信号を、左チャンネル用、又は、右チャンネル用の音声信号として、ＤＡＣ７に出力する。
【００２３】
ＤＳＰ６からのエージング用の音声信号は、ＤＡＣ７によるＤ／Ａ変換、増幅回路８による増幅を経て、イヤホン１０１に出力される。従って、図２に示すように、左チャンネル用のイヤホン本体と、右チャンネル用のイヤホン本体と、を向かい合わせると、音が打ち消し合うため、音漏れを防止することができる。これにより、音漏れが生じることなく、イヤホン１０１のエージングを行うことができる。
【００２４】
以上説明したように、本実施形態では、ＣＰＵ２は、所定周波数の、左チャンネル用の音声信号と、左チャンネル用の音声信号と逆相の右チャンネル用の音声信号と、を出力する。これにより、ＤＡＰ１にイヤホン１０１を接続し、左チャンネル用のイヤホン本体と、右チャンネル用のイヤホン本体と、を向かい合わせると、音が打ち消し合うため、音漏れを防止することができる。これにより、音漏れが生じることなく、イヤホン１０１のエージングを行うことができる。
【００２５】
また、本実施形態では、ＣＰＵ２は、モノラル変換された音声信号を、左チャンネル用、又は、右チャンネル用の音声信号として出力し、逆相変換された音声信号を、左チャンネル用、又は、右チャンネル用の音声信号として出力する。これにより、ＤＡＰ１にイヤホンを接続し、左チャンネル用のイヤホン本体と、右チャンネル用のイヤホン本体と、を向かい合わせると、音が打ち消し合うため、音漏れを防止することができる。これにより、音漏れが生じることなく、イヤホン１０１のエージングを行うことができる。
【００２６】
また、ＤＳＰ６は、左チャンネル用と、右チャンネル用と、を有する音声信号をモノラル変換し、モノラル変換した音声信号を逆相変換する。すなわち、ＤＳＰ６は、左右チャンネルの音声信号から、モノラル音声信号と、その逆相の音声信号と、から構成されるエージング用の音声信号を生成する。これにより、任意の左右チャンネルの音声信号から、エージング用の音声信号を生成することができる。
【００２７】
また、本実施形態では、ＤＳＰ６は、ＣＰＵ２によって選択が受け付けられた音声信号に、モノラル変換、逆相変換を行う。これにより、ユーザー所望の左右チャンネルの音声信号から、エージング用の音声信号を生成することができる。
【００２８】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２９】
本発明は、音声信号を出力する音楽再生装置に好適に採用され得る。
【符号の説明】
【００３０】
１  ＤＡＰ（音楽再生装置）
２  ＣＰＵ（制御部）
３  記憶部
４  表示部
５  操作部
６  ＤＳＰ（信号処理部）
７  ＤＡＣ
８  増幅回路
９  無線モジュール
１０  ＵＳＢ  Ｉ／Ｆ
１０１  イヤホン
【図１】
2020184707.tif 000003
【図２】
2020184707.tif 000004
【図３】
2020184707.tif 000005
【図４】
2020184707.tif 000006